(57)【特許請求の範囲】
【請求項１】
少なくとも一つの情報を格納する格納手段を着脱自在に装着する装着手段と、
画像処理を行う画像処理手段と、
前記装着手段を介して前記格納手段に格納されている前記情報または前記画像処理手段による処理結果を記憶する記憶手段と、
外部から入力され、前記画像処理手段に対する処理を指示する処理情報を判別する判別手段と、
該判別手段の判別結果に応じて、前記格納手段に格納されている前記情報または前記記憶手段に格納されている前記画像処理手段による処理結果の転送処理を制御する制御手段と、を備え、
前記格納手段に格納される情報は、当該格納手段を識別する識別情報を含み、
前記制御手段は、
前記判別手段により、前記処理情報が前記格納手段から前記画像処理手段に対する入力処理を指示するものであると判別された場合に、前記格納手段に格納されている前記識別情報を含む前記情報を前記記憶手段に記憶させると共に、前記識別情報を除く他の情報を削除し、前記格納手段が前記装着手段から外された後、前記装着手段に再度装着された場合に、前記記憶手段に記憶されている識別情報と、前記格納手段に格納されている識別情報とが一致した場合にのみ前記記憶手段に格納されている前記情報を前記格納手段に書き戻すように制御することを特徴とする画像処理装置。
【請求項２】
少なくとも一つの情報を格納する格納手段を着脱自在に装着する装着手段と、
画像処理を行う画像処理手段と、
前記装着手段を介して前記格納手段に格納されている前記情報または前記画像処理手段による処理結果を記憶する記憶手段と、
外部から入力され、前記画像処理手段に対する処理を指示する処理情報を判別する判別手段と、
該判別手段の判別結果に応じて、前記格納手段に格納されている前記情報または前記記憶手段に格納されている前記画像処理手段による処理結果の転送処理を制御する制御手段と、を備え、
前記格納手段に格納される情報は、当該格納手段を識別する識別情報を含み、
前記制御手段は、
前記判別手段により、前記処理情報が前記画像処理手段から前記格納手段に対する出力処理を指示するものであると判別された場合に、前記識別情報を前記記憶手段に記憶させ、前記格納手段が前記装着手段から外された後、前記装着手段に再度装着された場合に、前記記憶手段に記憶されている識別情報と、前記格納手段に格納されている識別情報とが一致した場合にのみ前記記憶手段に格納されている前記画像処理手段による処理結果を前記格納手段に格納させるように制御することを特徴とする画像処理装置。
【請求項３】
前記制御手段は、
前記記憶手段に格納されている前記画像処理手段による処理結果を前記格納手段に格納させた後、当該情報を前記記憶手段から削除するように制御することを特徴とする請求項２に記載の画像処理装置。
【請求項４】
前記格納手段からの前記情報の読み出し状況または前記格納手段に対する前記処理結果の書き込み状況を監視する監視手段と、
該監視手段による監視結果に応じて、前記格納手段を前記装着手段から外してもよいか否かを報知する報知手段と、
をさらに備えることを特徴とする請求項１から請求項３の何れかに記載の画像処理装置。
【請求項５】
前記画像処理手段は、前記情報に基づいて記録媒体に画像形成を行う画像形成装置または文書を読み取って画像情報を生成する画像読取装置の何れか一つを含むことを特徴とする請求項１から請求項４の何れかに記載の画像処理装置。
【請求項６】
請求項１から請求項５の何れかに記載の少なくとも１の画像処理装置と、
通信手段を介して前記画像処理装置と接続される少なくとも１の情報処理装置と、
から構成されることを特徴とする画像処理システム。
【請求項７】
装着手段を介して着脱自在に装着される格納手段に格納されている情報または前記画像処理手段による処理結果を記憶する記憶過程と、
前記画像処理手段に対する処理を指示する処理情報を判別する判別過程と、
判別過程の判別結果に応じて、前記格納手段に格納されている前記情報または前記記憶手段に格納されている前記画像処理手段による処理結果の転送処理を制御する制御過程と、
を演算手段に実行させ、
前記格納手段に格納される情報は、当該格納手段を識別する識別情報を含み、
前記制御過程では、
前記判別過程において、前記処理情報が前記格納手段から前記画像処理手段に対する入力処理を指示するものであると判別された場合に、前記格納手段に格納されている前記識別情報を含む前記情報を前記記憶過程で記憶すると共に、前記識別情報を除く他の情報を削除し、前記格納手段が前記装着手段から外された後、前記装着手段に再度装着された場合に、前記記憶過程で記憶された識別情報と、前記格納手段に格納されている識別情報とが一致した場合にのみ前記記憶過程で格納された前記情報を前記格納手段に書き戻すように制御することを特徴とする処理プログラム。
【請求項８】
装着手段を介して着脱自在に装着される格納手段に格納されている情報または前記画像処理手段による処理結果を記憶する記憶過程と、
前記画像処理手段に対する処理を指示する処理情報を判別する判別過程と、
判別過程の判別結果に応じて、前記格納手段に格納されている前記情報または前記記憶手段に格納されている前記画像処理手段による処理結果の転送処理を制御する制御過程と、
を演算手段に実行させ、
前記格納手段に格納される情報は、当該格納手段を識別する識別情報を含み、
前記制御過程では、
前記判別過程において、前記処理情報が前記画像処理手段から前記格納手段に対する出力処理を指示するものであると判別された場合に、前記識別情報を前記記憶過程で記憶し、前記格納手段が前記装着手段から外された後、前記装着手段に再度装着された場合に、前記記憶過程で記憶された識別情報と、前記格納手段に格納されている識別情報とが一致した場合にのみ前記記憶過程で格納された前記画像処理手段による処理結果を前記格納手段に格納させるように制御することを特徴とする処理プログラム。
【発明の詳細な説明】
【技術分野】
【０００１】
本発明は、画像処理装置、画像処理システムおよび処理プログラムに関するものである。
【背景技術】
【０００２】
近年、外部記憶装置の一種としてのＵＳＢ（Ｕｎｉｖｅｒｓａｌ Ｓｅｒｉａｌ Ｂｕｓ）メモリの普及により、ＵＳＢメモリに文書データや画像データ等を保存して携帯する場合が増えている。
【０００３】
このような状況に対応させるために画像処理装置の一例としての複合機やカラープリンタ等では、ＵＳＢメモリ内に格納されたデータを直接印刷するいわゆるＵＳＢメモリプリント（メディアプリントなどとも称される）機能および紙媒体の資料をスキャナで電子化したデータをＵＳＢメモリに保存するいわゆるＵＳＢメモリスキャン（スキャントゥーメディアなどとも称される）機能を搭載したものが開発されている。
【０００４】
このような外部記憶装置を接続して画像処理を行う画像処理装置に関する技術は種々提案されている。
【０００５】
例えば、特開２００６−１１８０７号公報には、外部記憶装置が接続された際に、格納された処理内容に応じてジョブを実行する技術が開示されている。
【先行技術文献】
【特許文献】
【０００６】
【特許文献１】特開２００６−１１８０７号公報
【発明の概要】
【発明が解決しようとする課題】
【０００７】
本発明は、セキュリティ性を向上させることのできる画像処理装置、画像処理システムおよび処理プログラムを提供することを目的とする。
【課題を解決するための手段】
【０００８】
前記課題を解決するため、請求項１の発明に係る画像処理装置は、少なくとも一つの情報を格納する格納手段を着脱自在に装着する装着手段と、画像処理を行う画像処理手段と、前記装着手段を介して前記格納手段に格納されている前記情報または前記画像処理手段による処理結果を記憶する記憶手段と、外部から入力され、前記画像処理手段に対する処理を指示する処理情報を判別する判別手段と、該判別手段の判別結果に応じて、前記格納手段に格納されている前記情報または前記記憶手段に格納されている前記画像処理手段による処理結果の転送処理を制御する制御手段と、を備え、前記格納手段に格納される情報は、当該格納手段を識別する識別情報を含み、前記制御手段は、前記判別手段により、前記処理情報が前記格納手段から前記画像処理手段に対する入力処理を指示するものであると判別された場合に、前記格納手段に格納されている前記識別情報を含む前記情報を前記記憶手段に記憶させると共に、前記識別情報を除く他の情報を削除し、前記格納手段が前記装着手段から外された後、前記装着手段に再度装着された場合に、前記記憶手段に記憶されている識別情報と、前記格納手段に格納されている識別情報とが一致した場合にのみ前記記憶手段に格納されている前記情報を前記格納手段に書き戻すように制御することを特徴とする。
【０００９】
前記課題を解決するため、請求項２の発明に係る画像処理装置は、少なくとも一つの情報を格納する格納手段を着脱自在に装着する装着手段と、画像処理を行う画像処理手段と、前記装着手段を介して前記格納手段に格納されている前記情報または前記画像処理手段による処理結果を記憶する記憶手段と、外部から入力され、前記画像処理手段に対する処理を指示する処理情報を判別する判別手段と、該判別手段の判別結果に応じて、前記格納手段に格納されている前記情報または前記記憶手段に格納されている前記画像処理手段による処理結果の転送処理を制御する制御手段と、を備え、前記格納手段に格納される情報は、当該格納手段を識別する識別情報を含み、前記制御手段は、前記判別手段により、前記処理情報が前記画像処理手段から前記格納手段に対する出力処理を指示するものであると判別された場合に、前記識別情報を前記記憶手段に記憶させ、前記格納手段が前記装着手段から外された後、前記装着手段に再度装着された場合に、前記記憶手段に記憶されている識別情報と、前記格納手段に格納されている識別情報とが一致した場合にのみ前記記憶手段に格納されている前記画像処理手段による処理結果を前記格納手段に格納させるように制御することを特徴とする。
【００１３】
請求項３の発明に係る画像処理装置は、請求項２に記載の発明について、前記制御手段は、前記記憶手段に格納されている前記画像処理手段による処理結果を前記格納手段に格納させた後、当該情報を前記記憶手段から削除するように制御することを特徴とする。
【００１４】
請求項４の発明に係る画像処理装置は、請求項１から請求項３の何れかに記載の発明について、前記格納手段からの前記情報の読み出し状況または前記格納手段に対する前記処理結果の書き込み状況を監視する監視手段と、該監視手段による監視結果に応じて、前記格納手段を前記装着手段から外してもよいか否かを報知する報知手段とをさらに備えることを特徴とする。
【００１５】
請求項５の発明に係る画像処理装置は、請求項１から請求項４の何れかに記載の発明について、前記画像処理手段は、前記情報に基づいて記録媒体に画像形成を行う画像形成装置または文書を読み取って画像情報を生成する画像読取装置の何れか一つを含むことを特徴とする。
【００１６】
請求項６の発明に係る画像処理システムは、請求項１から請求項５の何れかに記載の少なくとも１の画像処理装置と、通信手段を介して前記画像処理装置と接続される少なくとも１の情報処理装置とから構成されることを特徴とする。
【００１７】
請求項７の発明に係る処理プログラムは、装着手段を介して着脱自在に装着される格納手段に格納されている情報または前記画像処理手段による処理結果を記憶する記憶過程と、前記画像処理手段に対する処理を指示する処理情報を判別する判別過程と、判別過程の判別結果に応じて、前記格納手段に格納されている前記情報または前記記憶手段に格納されている前記画像処理手段による処理結果の転送処理を制御する制御過程と、を演算手段に実行させ、前記格納手段に格納される情報は、当該格納手段を識別する識別情報を含み、前記制御過程では、前記判別過程において、前記処理情報が前記格納手段から前記画像処理手段に対する入力処理を指示するものであると判別された場合に、前記格納手段に格納されている前記識別情報を含む前記情報を前記記憶過程で記憶すると共に、前記識別情報を除く他の情報を削除し、前記格納手段が前記装着手段から外された後、前記装着手段に再度装着された場合に、前記記憶過程で記憶された識別情報と、前記格納手段に格納されている識別情報とが一致した場合にのみ前記記憶過程で格納された前記情報を前記格納手段に書き戻すように制御することを特徴とする。
請求項８の発明に係る処理プログラムは、装着手段を介して着脱自在に装着される格納手段に格納されている情報または前記画像処理手段による処理結果を記憶する記憶過程と、前記画像処理手段に対する処理を指示する処理情報を判別する判別過程と、判別過程の判別結果に応じて、前記格納手段に格納されている前記情報または前記記憶手段に格納されている前記画像処理手段による処理結果の転送処理を制御する制御過程と、を演算手段に実行させ、前記格納手段に格納される情報は、当該格納手段を識別する識別情報を含み、前記制御過程では、前記判別過程において、前記処理情報が前記画像処理手段から前記格納手段に対する出力処理を指示するものであると判別された場合に、前記識別情報を前記記憶過程で記憶し、前記格納手段が前記装着手段から外された後、前記装着手段に再度装着された場合に、前記記憶過程で記憶された識別情報と、前記格納手段に格納されている識別情報とが一致した場合にのみ前記記憶過程で格納された前記画像処理手段による処理結果を前記格納手段に格納させるように制御することを特徴とする。
【発明の効果】
【００１８】
本発明によれば以下の効果を奏することができる。
【００２１】
すなわち、請求項１に記載の発明によれば、本構成を有していない場合に比較して、セキュリティ性をより向上させた画像処理装置を提供することができる。
【００２３】
請求項２に記載の発明によれば、本構成を有していない場合に比較して、セキュリティ性を一層向上させた画像処理装置を提供することができる。
【００２４】
請求項３に記載の発明によれば、本構成を有していない場合に比較して、記憶手段に格納されている画像処理手段による処理結果を格納手段に格納させた後に当該情報を記憶手段から削除させてセキュリティ性をより向上させた画像処理装置を提供することができる。
【００２５】
請求項４に記載の発明によれば、本構成を有していない場合に比較して、監視結果に応じて、格納手段を装着手段から外してもよいか否かを報知してセキュリティ性を一層向上させた画像処理装置を提供することができる。
【００２６】
請求項５に記載の発明によれば、本構成を有していない場合に比較して、印刷処理または読取処理についてセキュリティ性を一層向上させた画像処理装置を提供することができる。
【００２７】
請求項６に記載の発明によれば、本構成を有していない場合に比較して、セキュリティ性を向上させた画像処理システムを提供することができる。
【００２８】
請求項７に記載の発明によれば、本構成を有していない場合に比較して、セキュリティ性を向上させた処理プログラムを提供することができる。
請求項８に記載の発明によれば、本構成を有していない場合に比較して、セキュリティ性を向上させた処理プログラムを提供することができる。
【図面の簡単な説明】
【００２９】
【図１】実施の形態に係る画像処理装置ＰＲ１の概略構成を示す外観図である。
【図２】実施の形態に係る画像処理装置ＰＲ１の機能構成を示す機能ブロックである。
【図３】実施の形態に係る画像処理装置ＰＲ１における処理の流れの例を示す説明図である。
【図４】実施の形態に係る画像処理装置ＰＲ１における処理の流れの他の例を示す説明図である。
【発明を実施するための形態】
【００３０】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３１】
図１から図４を参照して、本発明についての実施の形態に係る画像処理装置ＰＲ１について説明する。
【００３２】
なお、本実施の形態に係る画像処理装置ＰＲ１は、プリンタ機能およびスキャナ機能等を備えるいわゆる複合機であるものとする。
【００３３】
図１に示すように、画像処理装置の本体１００の上部に原稿台１０２および各種表示および操作を行う報知部１０３（報知手段の一例）が設けられ、その原稿台１０２上に自動原稿送り装置１０４が設けられている。
【００３４】
報知部１０３は、例えば液晶タッチパネル等で構成され、スタートキー、テンキー、コピーキー、スキャンキー、プリントキー、ファクシミリキー、表示画面などを備えている。
【００３５】
本体１００の下部には、各種サイズの印刷用紙が収容された複数の収容カセット１０５が設けられている。
【００３６】
また、本体１００の側部に、プリントされた用紙の排出を受ける排紙ユニット（図示せず）を設けるようにしてもよい。
【００３７】
また、本体１００の他方の側面には、電源スイッチ１０７、ＵＳＢポート（ホスト用ＵＳＢポート１０８ａ，１０８ｂ：装着手段の一例）が設けられている。
【００３８】
ホスト用ＵＳＢポート１０８ａ，１０８ｂには、少なくとも一つの情報を格納する格納手段としてのＵＳＢメモリ１１０やＵＳＢ接続されるハードディスクドライブ（図示せず）などが接続される。
【００３９】
本体１００の主要な機能としては、スキャナ機能やＵＳＢメモリプリント機能がある。  スキャナ機能は、本体１００が備えるスキャナ部２００（画像読取手段の一例：図２参照）でスキャンした画像データを本体１００内のハードディスク装置１５２（記憶手段の一例）に記憶または外部機器に記憶させる所謂スキャントゥーファイル機能と、本体１００でスキャンした画像データを電子メールの形で外部機器に送る所謂スキャントゥメール機能と、本体１００でスキャンした画像データをＵＳＢメモリ１１０に記憶させる所謂ＵＳＢメモリスキャン機能などがある。
【００４０】
ＵＳＢメモリプリント機能は、ＵＳＢメモリ１１０から本体１００に送られる画像データを本体１００が備えるプリンタ部３００（画像処理手段：図２参照）でプリントする機能である。
【００４１】
ここで、ＵＳＢメモリについて、簡単に説明する。
【００４２】
ＵＳＢメモリとは、ＵＳＢポート（ＵＳＢコネクタ）に接続して使用する不揮発性メモリの一種としてのフラッシュメモリを内蔵した小型の記憶装置である。
【００４３】
ＵＳＢの規格には元々、「ＵＳＢ  Ｍａｓｓ  Ｓｔｏｒａｇｅ  Ｃｌａｓｓ」という、ハードディスクなどをリムーバブルドライブとして認識するための仕様が入っており、ＵＳＢメモリの殆どはこの仕様に準拠している。
【００４４】
次に、図２を参照して、画像処理装置ＰＲ１の機能構成について説明する。なお、図１に基づいて説明した構成については、同一符号を付して説明は省略する。
【００４５】
画像処理装置ＰＲ１は、画像処理を行う画像処理部１６０（画像処理手段の一例）と、ＵＳＢポート１０８を介してＵＳＢメモリ１１０に格納されている情報または画像処理部１６０による処理結果を記憶するハードディスク装置１５２（記憶手段の一例）と、外部から入力され、画像処理部１６０に対する処理を指示する処理情報を判別する処理情報判別部１５３（判別手段の一例）と、処理情報判別部１５３の判別結果に応じて、ＵＳＢメモリ１１０に格納されている情報またはハードディスク装置１５２に格納されている画像処理部１６０による処理結果の転送処理を制御するマイクロコンピュータ等で構成される制御部１５０（制御手段の一例）と、ＬＡＮやインターネット等のネットワークＮとの通信を行うネットワークインターフェイス等で構成される通信部１５４と、ＵＳＢメモリ１１０が格納しているＩＤ（識別情報）を取得するＩＤ取得部１５５と、ＵＳＢメモリ１１０からの情報の読み出し状況またはＵＳＢメモリ１１０に対する処理結果の書き込み状況を監視する監視部１５１（監視手段の一例）と、監視部１５１による監視結果に応じて、ＵＳＢメモリ１１０をＵＳＢポート１０８から外してもよいか否かを報知する報知部１０３（報知手段の一例）とを備えている。
【００４６】
画像処理部１６０は、上述のようにスキャナ部２００とプリンタ部３００とを備えている。
【００４７】
また、報知部１０３は、上述のように液晶タッチパネル等で構成される操作部１０３ａと表示部１０３ｂとを備えている。
【００４８】
また、制御部１５０は、ＩＤ取得部１５５で取得されたＩＤを比較するＩＤ比較部１５０ａを備えている。
【００４９】
また、ハードディスク装置１５２内には、スキャナ部２００で読み取られた画像情報や、ＵＳＢメモリ１１０から入力された画像情報を記憶する画像記憶領域１５２ａと、ＩＤ取得部１５５で取得されたＩＤを記憶するＩＤ記憶領域１５２ｂと、ＵＳＢメモリ１１０から入力されたファイル情報を記憶するファイル記憶領域１５２ｃが少なくとも設けられている。
【００５０】
ここで、ＵＳＢメモリを含むＵＳＢデバイスの識別情報（ＩＤ）について簡単に説明する。
【００５１】
ＵＳＢデバイスのシリアル番号  ”ｉＳｅｒｉａｌＮｕｍｂｅｒ”は、デバイス個々が持つＤｅｓｃｒｉｐｔｏｒと呼ばれる詳細情報に格納されている。
【００５２】
より具体的には、Ｄｅｖｉｃｅ  Ｄｅｓｃｒｉｐｔｏｒに情報の有無、Ｓｔｒｉｎｇ  Ｄｅｓｃｒｉｐｔｏｒに情報の内容が格納されている。
【００５３】
デバイスの識別情報としては他にｉＭａｎｕｆａｃｔｕｒｅｒと  ｉＰｒｏｄｕｃｔがある。
【００５４】
これらのｉＭａｎｕｆａｃｔｕｒｅｒ，  ｉＰｒｏｄｕｃｔ，ｉＳｅｒｉａｌＮｕｍｂｅｒに基づいてＵＳＢデバイスが識別される。
【００５５】
そして、制御部１５０は、処理情報判別部１５３により、処理情報がＵＳＢメモリ１１０から画像処理部１６０に対する入力処理を指示するものであると判別された場合に、ＵＳＢメモリ１１０に格納されている情報をハードディスク装置１５２に記憶させるように制御するようにしてもよい。
【００５６】
また、ＵＳＢメモリ１１０に格納される情報は、このＵＳＢメモリ１１０を識別する識別情報（ＩＤ）を含み、制御部１５０は、処理情報判別部１５３により、処理情報がＵＳＢメモリ１１０から画像処理部１６０に対する入力処理を指示するものであると判別された場合に、ＵＳＢメモリ１１０に格納されている情報をハードディスク装置１５２に記憶させると共に、識別情報（ＩＤ）を除く他の情報を削除し、ハードディスク装置１５２がＵＳＢポート１０８から外された後、再度装着された場合に、ハードディスク装置１５２に記憶されている識別情報（ＩＤ）と、ＵＳＢメモリ１１０に格納されている識別情報（ＩＤ）とが一致した場合にのみハードディスク装置１５２に格納されている情報をＵＳＢメモリ１１０に書き戻すように制御するようにしてもよい。
【００５７】
また、制御部１５０は、処理情報判別部１５３により、処理情報が画像処理部１６０からＵＳＢメモリ１１０に対する出力処理を指示するものであると判別された場合に、ハードディスク装置１５２に格納されている画像処理部１６０による処理結果をＵＳＢメモリ１１０に格納させるように制御するようにしてもよい。
【００５８】
また、ＵＳＢメモリ１１０に格納される情報は、このＵＳＢメモリ１１０を識別する識別情報（ＩＤ）を含み、制御部１５０は、処理情報判別部１５３により、処理情報が画像処理部１６０からＵＳＢメモリ１１０に対する出力処理を指示するものであると判別された場合に、識別情報（ＩＤ）をハードディスク装置１５２のＩＤ記憶領域１５２ｂに記憶させ、ＵＳＢメモリ１１０がＵＳＢポート１０８から外された後、再度装着された場合に、ハードディスク装置１５２に記憶されている識別情報（ＩＤ）と、ＵＳＢメモリ１１０に格納されている識別情報とが一致した場合にのみハードディスク装置１５２に格納されている画像処理部１６０による処理結果をＵＳＢメモリ１１０に格納させるように制御するようにしてもよい。
【００５９】
また、制御部１５０は、ハードディスク装置１５２に格納されている画像処理部１６０による処理結果をＵＳＢメモリ１１０に格納させた後、当該情報をハードディスク装置１５２から削除するように制御してもよい。
【００６０】
また、監視部１５１による監視結果に応じて、ＵＳＢメモリ１１０をＵＳＢポート１０８から外してもよいか否かを報知部１０３の表示部１０３ｂのメッセージで報知するようにしてもよい。
【００６１】
次に、図３を参照して、本実施の形態に係る画像処理装置ＰＲ１の処理の流れの例について説明する。
【００６２】
まず、（イ）で、ユーザがＵＳＢポート１０８にＵＳＢメモリ１１０を装着し、操作部１０３ａを操作して「メディアプリント」を指示する。このとき、ユーザはＵＳＢメモリ１１０内のファイルを選択してジョブ起動を行う。
【００６３】
ついで、（ロ）で、ＵＳＢポート１０８を介して指定されたファイルを読み出し、ハードディスク装置１５２のファイル記憶領域１５２ｃへの記憶を開始する。この処理は主にデータの転送であるため、比較的高速に実行される。
【００６４】
前記（ロ）の処理が開始されると画像処理部１６０は、ハードディスク装置１５２に記憶されたファイルを順次読み出し、１ページずつ処理を行う。
【００６５】
画像処理部１６０により、ハードディスク装置１５２の画像記憶領域１５２ａに記憶された画像データが読み出され（ハ）、プリンタ部３００にて印刷される（ニ）。この処理は高度な演算処理を伴うため、比較的低速に実行される。
【００６６】
次いで、（ロ）の読み出しが終了すると、表示部１０３ｂにＵＳＢメモリ１１０の接続を解除して、ＵＳＢポート１０８から外しても良い旨を表示する（ホ）。
【００６７】
以後、ファイル記憶領域１５２ｃから未処理データがなくなるまで、上記の処理を繰り返して行う。
【００６８】
これにより、「メディアプリント」を実行した際、全ての画像処理が終了する前にＵＳＢメモリ１１０を画像処理装置ＰＲ１から外せるため、ユーザが画像処理装置ＰＲ１に装着された状態を監視する時間が短くて済み利便性が向上される。
【００６９】
また、やむを得ず画像処理装置ＰＲ１を離れなければならない場合でもＵＳＢメモリ１１０を放置しなくてよいため、本発明を適用しない場合と比較してセキュリティ性が向上される。
【００７０】
即ち、比較対象としての従来の画像処理装置にあっては、ユーザは、大量の原稿についてＵＳＢメモリスのキャン機能を実行する場合に、ジョブ完了前にその場を離れてしまう場合が考えられる。
【００７１】
ＵＳＢメモリスキャン機能を実行した場合に、大量の原稿のスキャン動作完了後、画像データをＰＤＦ等のフォーマットへ変換し、そしてＵＳＢメモリへの書込動作を実行するため、大量の原稿の画像データの変換および書込動作の処理に時間がかかる場合があるからである。
【００７２】
また、ＵＳＢメモリプリント機能を実行したユーザが印刷出力した紙媒体のみを持ち帰り、ＵＳＢメモリ自身を画像処理装置に装着したまま、その場から離れてしまう場合が考えられる。
【００７３】
したがって、ＵＳＢメモリスキャン機能あるいはＵＳＢメモリプリント機能等のジョブは完了している際に、ＵＳＢメモリの抜き取り忘れが発生する場合がある。
【００７４】
即ち、ＵＳＢメモリには秘匿情報も含め様々なデータが格納可能である一方、ＵＳＢメモリを使用するジョブを開始すると、ジョブ終了までメモリを装着したままにしなければならないので、画像処理装置の傍を離れなければならなくなった場合にセキュリティ上の問題があった。
【００７５】
本実施の形態に係る画像処理装置ＰＲ１によれば、上述のように、ＵＳＢポート１０８から外しても良い旨の報知に従って、ＵＳＢメモリ１１０を適当な時期に抜き取ることができるので、セキュリティ性が向上される。
【００７６】
次に、図４を参照して、本実施の形態に係る画像処理装置ＰＲ１の処理の流れの他の例について説明する。
【００７７】
まず、（ａ）で、ユーザがＵＳＢポート１０８にＵＳＢメモリ１１０を装着し、操作部１０３ａを操作して「スキャントゥーメディア」を指示する。
【００７８】
次いで、（ｂ）で、ジョブが起動されると、ＩＤ取得部１５５がＵＳＢポート１０８に接続されたＵＳＢメモリ１１０から識別情報（ＩＤ）を取得し、ハードディスク装置１５２のＩＤ記憶領域１５２ｂに記憶する。
【００７９】
そして、ＩＤ取得・記憶が終了すると、表示部１０３ｂにＵＳＢメモリ１１０の接続を解除しても良い旨表示する（ｃ）。
【００８０】
次いで、スキャナ部２００で原稿から画像を読み取り（ｄ）、制御部１５０に渡す。  制御部１５０は読み取ったデータを処理して画像データを生成し、ハードディスク装置１５２の画像記憶領域１５２ａに記憶する（ｅ）。
【００８１】
このとき、画像記憶領域１５２ａはＵＳＢメモリ１１０に画像データの出力が可能であれば画像データの転送を行う。
【００８２】
もしＵＳＢメモリ１１０の接続が解除されていた場合であっても、スキャナ部２００における画像読み取りと制御部１５０における画像処理は継続して実行される。
【００８３】
但し、この場合には画像記憶領域１５２ａからＵＳＢメモリ１１０への画像データ転送は行わない。
【００８４】
次いで、再びＵＳＢメモリ１１０がＵＳＢポート１０８に接続されると、ＩＤ取得部１５５がＵＳＢポート１０８に接続されたＵＳＢメモリ１１０から識別情報（ＩＤ）を取得する（ｆ）。
【００８５】
そして、ＩＤ比較部１５０ａは、ＩＤ記憶領域１５２ｂに記憶されたＩＤ、すなわち現在実行中のジョブが起動された際にＵＳＢポート１０８に装着されていたＵＳＢメモリのＩＤとの比較を行う（ｇ）。
【００８６】
比較の結果、ＩＤの一致が検出されると、ＩＤ比較部１０５ａは画像記憶領域１５２ａに対しＵＳＢポート１０８への画像データの転送を指示する（ｈ）。
【００８７】
一方、ＩＤが不一致の場合にはこの指示は行われない。
【００８８】
このように、「スキャントゥーメディア」を実行した際、すべての原稿読み取り処理および画像処理が終了する前にＵＳＢメモリ１１０の接続が解されるため、やむを得ず画像処理装置ＰＲ１の傍を離れなければならない場合でもＵＳＢメモリ１１０を放置しなくてよい。このため、本発明を適用しない形態と比較してセキュリティ性が向上される。
【００８９】
また、ジョブ起動時に使用したＵＳＢメモリ１１０を装着するだけで画像データの転送が行われるため、煩わしいデータの転送操作の必要がないので利便性が向上される。
【００９０】
また、異なるＵＳＢメモリに画像データがコピーされることによる情報漏えいが防止され、セキュリティ性が一層向上される。
【００９１】
なお、画像データおよび識別情報（ＩＤ）は、画像処理装置ＰＲ１に内蔵されるハードディスク装置１５２に限らず、ＵＳＢポート１０８や通信部１５４を介して接続される外部記憶装置やネットワークサーバに記憶するようにしてもよい。
【００９２】
また、本実施の形態に係る画像処理装置ＰＲ１は、複合機について述べたが、これに限定されず、スキャナ装置単体、プリンタ装置単体、スキャナ装置とプリンタ装置の組み合わせなどに適用してもよい。
【００９３】
また、本実施の形態では、格納手段としてＵＳＢメモリを例示したが、限定されるものではなく、一般的なＵＳＢストレージクラスの各種デバイスやメモリカード類、非接触記憶媒体などにも適用される。
【００９４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９５】
また、プログラムを用いる場合には、ネットワークを介して提供し、或いはＣＤ−ＲＯＭ等の記録媒体に格納して提供することが可能である。
【００９６】
即ち、画像処理プログラムを含む所定のプログラムを記録媒体としてのハードディスク等の記憶装置に記録する場合に限らず、当該所定のプログラムを次のようにして提供することも可能である。
【００９７】
例えば、所定のプログラムをＲＯＭに格納しておき、ＣＰＵが、この所定のプログラムをこのＲＯＭから主記憶装置へローディングして実行するようにしてもよい。
【００９８】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００９９】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１００】
本発明による画像処理装置、画像処理システムおよび処理プログラムは、スキャナ装置を備えるプリンタや複合機等に適用することができる。
【符号の説明】
【０１０１】
ＰＲ１  画像処理装置
１００  本体
１０２  原稿台
１０３  報知部
１０３ａ  操作部
１０３ｂ  表示部
１０４  自動原稿送り装置
１０５  収容カセット
１０５ａ  比較部
１０７  電源スイッチ
１０８  ＵＳＢポート
１１０  ＵＳＢメモリ
１５０  制御部
１５０ａ  比較部
１５１  監視部
１５２  ハードディスク装置
１５２ａ  画像記憶領域
１５２ｂ  ＩＤ記憶領域
１５２ｃ  ファイル記憶領域
１５３  処理情報判別部
１５４  通信部
１５５  取得部
１６０  画像処理部
２００  スキャナ部
３００  プリンタ部
【図１】
0005510793.tif 000002
【図２】
0005510793.tif 000003
【図３】
0005510793.tif 000004
【図４】
0005510793.tif 000005